(57)【特許請求の範囲】
【請求項１】
階層的に配置され、ネットワークシステムを構成するＡＴＭ装置において、
直下の階層の各ＡＴＭ装置に対して、階層を表しかつＡＴＭ装置毎に異なる階層識別情報を装置識別符号として付与し設定する階層識別情報設定手段と、
前記直下の階層の各ＡＴＭ装置に対して、監視制御のためのインチャネル通信用の仮想パス識別子及び仮想チャネル識別子を前記階層識別情報に更に付与して設定する仮想回線識別情報設定手段と、
を備えたことを特徴とするＡＴＭ装置。
【請求項２】
前記直下の階層の各ＡＴＭ装置が接続されたインタフェース盤が収容されているパネルのスロット位置を示すスロット番号を、前記装置識別符号として更に付与して設定する仮想回線識別情報設定手段を備えたことを特徴とする請求項１に記載のＡＴＭ装置。
【請求項３】
上位階層のＡＴＭ装置によって付与された前記階層識別情報、仮想パス識別子及び仮想チャネル識別子を含む装置識別符号を設定し、該設定した装置識別符号の履歴を保持する装置識別符号設定履歴情報保持手段を備えたことを特徴とする請求項１又は２に記載のＡＴＭ装置。
【請求項４】
階層的に配置され、ネットワークシステムを構成するＡＴＭ装置に対して装置識別符号を設定する装置識別符号設定方法において、
直下の階層の各ＡＴＭ装置に対して、階層を表しかつＡＴＭ装置毎に異なる階層識別情報を装置識別符号として付与し設定する階層識別情報設定過程と、
前記直下の階層の各ＡＴＭ装置に対して、監視制御のためのインチャネル通信用の仮想パス識別子及び仮想チャネル識別子を前記階層識別情報に更に付与して設定する仮想回線識別情報設定過程と、
を含むことを特徴とする装置識別符号設定方法。
【請求項５】
前記仮想回線識別情報設定過程は、直下の階層の各ＡＴＭ装置が接続されたインタフェース盤が収容されているパネルのスロット位置を示すスロット番号を、前記装置識別符号として更に付与して設定する過程を含むことを特徴とする請求項４に記載の装置識別符号設定方法。
【請求項６】
上位階層のＡＴＭ装置によって付与された前記階層識別情報、仮想パス識別子及び仮想チャネル識別子を含む装置識別符号を設定し、該設定した装置識別符号の履歴を保持する装置識別符号設定履歴情報保持過程を含むことを特徴とする請求項４又は５に記載の装置識別符号設定方法。
【発明の詳細な説明】
【技術分野】
【０００１】
本発明は、ＡＴＭ装置及び装置識別符号設定方法に関し、特に、複数のＡＴＭ装置を階層的に配置して接続したネットワークシステムにおいて、各ＡＴＭ装置に対して監視制御用端末から監視、制御、管理を行うなど、各ＡＴＭ装置を適正に運用・運転する際に、各ＡＴＭ装置を識別し特定するために使用される装置識別符号を自動的に付与して設定する技術に関する。
【背景技術】
【０００２】
図５に複数のＡＴＭ装置を階層的に配置したネットワークシステムの構成例を示す。同図において、１は各ＡＴＭ装置を監視制御するための監視制御用端末（ＯＰＳ）であり、１０は第１階層のＡＴＭ装置、２０，２１は第２階層のＡＴＭ装置、３０，３１は第３階層のＡＴＭ装置である。
【０００３】
監視制御用端末（ＯＰＳ）１にて各ＡＴＭ装置１０，２０，２１，３０，３１を監視制御する際に、従来は、各ＡＴＭ装置を他装置と区別して特定することができるように、各ＡＴＭ装置１０，２０，２１，３０，３１に対して装置識別符号（以下、装置ＩＤという）を設定する。従来の装置ＩＤの設定は、使用者又は保守者が各ＡＴＭ装置１０，２０，２１，３０，３１に対してそれぞれの装置ＩＤを適宜選定して設定したり、各ＡＴＭ装置１０，２０，２１，３０，３１に製造時等に付与された号機番号等を元にして装置ＩＤを決定して設定したりしていた。
【０００４】
本発明に関連する先行技術文献として、自装置の固有情報である「装置製造業者名＋装置名＋装置製造番号」を元に、伝送装置に識別番号を自動付与する伝送装置識別番号付与方法、伝送装置及び伝送システム管理装置について下記の特許文献１に記載されている。
【特許文献１】特開平１０−４３７３号公報
【発明の開示】
【発明が解決しようとする課題】
【０００５】
前述したように、使用者又は保守者が各ＡＴＭ装置に対してそれぞれ装置ＩＤを適宜決定して設定する従来の手法では、監視制御用端末（ＯＰＳ）１から、決定した装置ＩＤを各ＡＴＭ装置に１台ずつ手動入力操作により設定する必要があり、監視制御用端末（ＯＰＳ）１で監視・制御するＡＴＭ装置の台数が増大するにつれて、手間と時間がより多く掛かるようになり、また、手動入力のため設定ミスが起こり易くなる。
【０００６】
インチャネル通信にて共通の通信用回線を共有して監視制御用端末（ＯＰＳ）１より監視制御を行う各ＡＴＭ装置１０，２０，２１，３０，３１の何れかに対して、設定ミスにより既存の装置ＩＤと同じ装置ＩＤを設定してしまうと、監視制御を正常に行うことができなくなってしまう。
【０００７】
また、装置ＩＤの設定方法として、各ＡＴＭ装置の設置時にそれぞれの装置ＩＤをディップスイッチ等により設定して固有の装置ＩＤを付与する方法があるが、ディップスイッチの設定値を誤って設定してしまうと、監視制御用端末（ＯＰＳ）１から該ＡＴＭ装置に対して通信を行うことができず、該ＡＴＭ装置の設置場所まで保守者等が出向いて行ってディップスイッチの設定値を確認し、設定しなおさなければならない。
【０００８】
本発明は、装置ＩＤの設定値の重複を避けて各ＡＴＭ装置に装置ＩＤを自動設定することができ、また、管理上、装置識別符号から各ＡＴＭ装置の接続形態を把握することが容易な装置識別符号を生成して付与することができるＡＴＭ装置及び装置識別符号設定方法を提供することを目的とする。
【課題を解決するための手段】
【０００９】
本発明のＡＴＭ装置は、（１）階層的に配置され、ネットワークシステムを構成するＡＴＭ装置において、直下の階層の各ＡＴＭ装置に対して、階層を表しかつＡＴＭ装置毎に異なる階層識別情報を装置識別符号として付与し設定する階層識別情報設定手段と、前記直下の階層の各ＡＴＭ装置に対して、監視制御のためのインチャネル通信用の仮想パス識別子及び仮想チャネル識別子を前記階層識別情報に更に付与して設定する仮想回線識別情報設定手段と、を備えたことを特徴とする。
【００１０】
また、（２）前記直下の階層の各ＡＴＭ装置が接続されたインタフェース盤が収容されているパネルのスロット位置を示すスロット番号を、前記装置識別符号として更に付与して設定する仮想回線識別情報設定手段を備えたことを特徴とする。
【００１１】
また、（３）上位階層のＡＴＭ装置によって付与された前記階層識別情報、仮想パス識別子及び仮想チャネル識別子を含む装置識別符号を設定し、該設定した装置識別符号の履歴を保持する装置識別符号設定履歴情報保持手段を備えたことを特徴とする。
【００１２】
また、装置識別符号設定方法は、（４）階層的に配置され、ネットワークシステムを構成するＡＴＭ装置に対して装置識別符号を設定する装置識別符号設定方法において、直下の階層の各ＡＴＭ装置に対して、階層を表しかつＡＴＭ装置毎に異なる階層識別情報を装置識別符号として付与し設定する階層識別情報設定過程と、前記直下の階層の各ＡＴＭ装置に対して、監視制御のためのインチャネル通信用の仮想パス識別子及び仮想チャネル識別子を前記階層識別情報に更に付与して設定する仮想回線識別情報設定過程と、を含むことを特徴とする。
【００１３】
また、（５）前記仮想回線識別情報設定過程は、直下の階層の各ＡＴＭ装置が接続されたインタフェース盤が収容されているパネルのスロット位置を示すスロット番号を、前記装置識別符号として更に付与して設定する過程を含むことを特徴とする。
【００１４】
また、（６）上位階層のＡＴＭ装置によって付与された前記階層識別情報、仮想パス識別子及び仮想チャネル識別子を含む装置識別符号を設定し、該設定した装置識別符号の履歴を保持する装置識別符号設定履歴情報保持過程を含むことを特徴とする。
【発明の効果】
【００１５】
本発明によれば、階層的に配置された各ＡＴＭ装置が直下の各ＡＴＭ装置に対して、階層識別情報及び仮想回線識別情報を含む装置ＩＤを付与することにより、保守者等による装置ＩＤの設定の手間が省かれ、装置ＩＤの設定値の重複を避けることができ、装置ＩＤの誤設定による通信障害を防ぐことができる。
【００１６】
また、管理上、装置ＩＤから階層位置情報及び仮想回線識別情報を得ることができ、当該ＡＴＭ装置の接続形態を把握することが容易になる。また、装置ＩＤの設定履歴を保持することにより、該装置ＩＤの設定履歴を基に、過去の接続形態を容易に把握することができ、ネットワークシステムの運用管理、障害調査等に有効的に利用することが可能となる。
【発明を実施するための最良の形態】
【００１７】
本発明は、保守者等が監視制御用端末（ＯＰＳ）１から各ＡＴＭ装置１０，２０，２１，３０，３１に対して手動入力操作により装置ＩＤを設定することなく、監視制御用端末（ＯＰＳ）１から、装置ＩＤの付与設定の指示コマンドのみによって、各ＡＴＭ装置１０，２０，２１，３０，３１がその接続形態に合わせて自動的に装置ＩＤの割り振りを行って設定するものである。
【００１８】
図１は本発明によって付与される装置ＩＤのフォーマットを示す。同図の（ａ）に示すように、装置ＩＤを６バイトで表すこととし、その先頭の３バイト（第１〜第３バイト）でＡＴＭ装置の階層（監視制御用端末（ＯＰＳ）１からみて接続装置が何列目に位置するかを示す情報）及びその階層毎の識別情報（以降、階層ＩＤという）を表す。
【００１９】
階層ＩＤを表すバイトの次の１バイト（第４バイト）は、直下のＡＴＭ装置が接続されるインタフェース回路盤（以下、ＩＦ盤という）が実装されているスロット番号を表し、その次の１バイト（第５バイト）は、直下の接続先のＡＴＭ装置のＩＦ盤と接続されている回線の仮想パス識別子（ＶＰＩ：Virtual Path Identifier、以下ＶＰＩという）値を表し、その次の最後の１バイト（第６バイト）は、直下の接続先のＡＴＭ装置のＩＦ盤と接続されている回線の仮想チャネル識別子（ＶＣＩ：Virtual Channel Identifier、以下ＶＣＩという）値を表す。
【００２０】
図１（ａ）に示す装置ＩＤの例は、監視制御用端末（ＯＰＳ）１からみて２階層目に位置し、上位の接続先のＡＴＭ装置のＩＦ盤がスロット１に実装されていて、上位ＡＴＭ装置とＶＰＩ値及びＶＣＩ値がそれぞれＶＰＩ＝３２（０ｘ２０），ＶＣＩ＝２５５（０ｘＦＦ）の回線で接続されている装置であることを表している。
【００２１】
装置ＩＤのフォーマットの第１〜第３バイトに割り当てる階層ＩＤとして、図１の（ｂ）に示すように、各階層に４ビットの識別符号（“１”〜“１５”の値が設定可能）を割り当て、１つの階層に１５台のＡＴＭ装置が該階層ＩＤによって識別可能となる。１バイトは８ビットであることから、第１〜第３バイトで第１〜第６の階層まで階層ＩＤを設定することができる。
【００２２】
階層ＩＤの設定について以下に説明する。各ＡＴＭ装置への装置ＩＤの設定は、まず、監視制御用端末（ＯＰＳ）１の直下に接続されている１台目のＡＴＭ装置１０に対して、一律に装置ＩＤ“１０００００００００００（ｈｅｘ）”を設定する。第２階層の装置には、監視制御用端末（ＯＰＳ）１の直下のＡＴＭ装置１０から、階層ＩＤの第２階層を表す部分に“１”を入れ、装置ＩＤ“１１００００００００００（ｈｅｘ）”を設定し、その後、装置ＩＤ設定コマンドにより、ＩＤ“１１００００００００００”の装置に対して、装置ＩＤの下位３バイトの符号として、前述のようにＩＦ盤のスロット番号、ＶＰＩ値及びＶＣＩ値の仮想回線情報を設定する。
【００２３】
各ＡＴＭ装置に対してインチャネル通信による監視制御を行うために、該インチャネル通信の回線接続情報として、各ＡＴＭ装置が接続されているＩＦ盤のスロット番号、その接続回線のＶＰＩ値及びＶＣＩ値が予め保守者が決定して設定されている。その設定値をそのまま用いて装置ＩＤの下位３バイトに設定することで、各ＡＴＭ装置に対してユニークな装置ＩＤを自動的に決定して設定することができる。
【００２４】
第２階層に複数台のＡＴＭ装置が接続されている場合は、装置ＩＤの第２階層部分（図１（ｂ）参照）を、第１階層のＡＴＭ装置１０において順次＋１インクリメントして、第２階層の各ＡＴＭ装置２０，２１に設定する。第３階層のＡＴＭ装置３０，３１には、上位の第２階層のＡＴＭ装置２０，２１から第１階層及び第２階層の階層ＩＤの部分を引き継ぎ、第３階層の階層ＩＤの部分は、第２階層のＡＴＭ装置２０，２１において順次＋１ずつインクリメントして、第３階層の各ＡＴＭ装置３０，３１に設定する。
【００２５】
例えば、第２階層のＡＴＭ装置２０の階層ＩＤが“１２００００・・・・・・”である場合、第３階層の１台目のＡＴＭ装置３０の階層ＩＤは“１２１０００・・・・・・”、第３階層の２台目の階層ＩＤは“１２２０００・・・・・・”などとなる。
【００２６】
図２に装置ＩＤ自動割り付けシーケンスを示す。同図は、第２階層のＡＴＭ装置に装置ＩＤを登録する手順の例を示している。該手順は、初めに監視制御用端末（ＯＰＳ）１より上位装置接続情報登録コマンドをＡＴＭ装置１０に送信する（２−１）。監視制御用端末（ＯＰＳ）１直下のＡＴＭ装置１０は該コマンドを受け、自装置の装置ＩＤとして“１０００００００００００”が登録済であるとすると、ＡＴＭ装置“１０００００００００００”から、立ち上げ状態を確認するポーリングコマンド（ＰＯＬ）を第２階層のＡＴＭ装置２０に送信する（２−２）。
【００２７】
第２階層のＡＴＭ装置２０は、装置ＩＤが未設定の状態であれば、ポーリングコマンド（ＰＯＬ）応答として、装置ＩＤ未設定の旨を示す立ち上げ状態応答情報を返す（２−３）。第１層のＡＴＭ装置“１０００００００００００”は、自装置が第１階層であると認識しているので、直下のＡＴＭ装置２０の階層が第２階層であると認識することができ、直下のＡＴＭ装置２０に対して、装置ＩＤ“１１００００００００００”（階層ＩＤの先頭１バイト目の下位４ビット（第２階層を表す）を操作）を、装置ＩＤ階層設定コマンドにて設定する（２−４）。
【００２８】
第２階層のＡＴＭ装置２０は、該装置ＩＤ“１１００００００００００”を受け取ると、その応答を第１階層のＡＴＭ装置１０に返答し（２−５）、第１階層のＡＴＭ装置１０は、装置ＩＤ設定のコマンドにて、第２階層のＡＴＭ装置２０に対して下位３バイトの装置ＩＤを設定し（２−６）、第２階層のＡＴＭ装置２０は該下位３バイトの装置ＩＤを受け取って、例えば装置ＩＤ“１１０００００１２０２１”を設定し、第１階層のＡＴＭ装置１０に応答を返す（２−７）。
【００２９】
第２階層に装置ＩＤ“１１０００００１２０２１”以外のＡＴＭ装置２１が接続されている場合は、監視制御用端末（ＯＰＳ）１より上位装置接続情報登録コマンドをＡＴＭ装置１０に送信し（２−８）、ＡＴＭ装置１０は該コマンドを受け、立ち上げ状態を確認するポーリングコマンド（ＰＯＬ）を第２階層のＡＴＭ装置２１に送信する（２−９）。
【００３０】
第２階層のＡＴＭ装置２１は、装置ＩＤが未設定の状態であれば、ポーリングコマンド（ＰＯＬ）応答として、装置ＩＤ未設定の旨を示す立ち上げ状態応答情報を返す（２−１０）。第１層のＡＴＭ装置“１０００００００００００”は、直下のＡＴＭ装置２１の階層が第２階層であると認識し、直下のＡＴＭ装置２１に対して、装置ＩＤの第２階層部分を＋１インクリメントして、装置ＩＤ“１２００００００００００”（階層ＩＤの先頭１バイト目の下位４ビット（第２階層を表す）を操作）を、装置ＩＤ階層設定コマンドにて設定する（２−１１）。
【００３１】
第２階層のＡＴＭ装置２１は、該装置ＩＤ“１２００００００００００”を受け取ると、その応答を第１階層のＡＴＭ装置１０に返し（２−１２）、第１階層のＡＴＭ装置１０は、装置ＩＤ設定のコマンドにて、第２階層のＡＴＭ装置２０に対して下位３バイトの装置ＩＤを設定し（２−１３）、第２階層のＡＴＭ装置２１は該下位３バイトの装置ＩＤを受け取って、例えば装置ＩＤ“１２０００００２２０２１”を設定し、第１階層のＡＴＭ装置１０に応答を返す（２−１４）。以降、第３階層以下の各ＡＴＭ装置に対する装置ＩＤの設定も同様の手法で設定する。
【００３２】
装置ＩＤは、各ＡＴＭ装置に実装されている不揮発性メモリに装置ＩＤ設定履歴として保持しておくこととする。装置ＩＤ設定履歴としては、例えば、約５０件分程度の装置ＩＤについて、設定した日付及び設定装置ＩＤを記録する。装置ＩＤ設定履歴情報の記録の例を図３に示す。これにより、該ＡＴＭ装置が過去にどの上位装置と接続されていたか、どのＶＰパス、ＶＣパスにより接続されていたかなどの接続形態の特定を簡単に行うことができ、保守者等によるネットワークシステムの運用管理や障害調査に役立てることができる。
【実施例１】
【００３３】
図４に本発明を適用したネットワークシステムの実施例を示す。同図（ａ）に示すように、監視制御用端末（ＯＰＳ）１と第１階層のＡＴＭ装置１０は１台とし、該監視制御用端末（ＯＰＳ）１とＡＴＭ装置１０とはＬＡＮ回線で接続する構成とすることができる。第１階層のＡＴＭ装置１０配下の各ＡＴＭ装置２０，２１，３０，３１との運用管理のための通信は、サービス提供用のＡＴＭ回線を利用したインチャネル通信で行うものとし、各ＡＴＭ装置間の接続は、上位ＡＴＭ装置の１つのパネルのＩＦ盤に下位ＡＴＭ装置１台が接続されているものとする。
【００３４】
監視制御用端末（ＯＰＳ）１の表示画面には、下位ＡＴＭ装置を接続する上位ＡＴＭ装置のＩＦ盤の実装位置（スロット番号）、接続パス（ＶＰＩ，ＶＣＩ）を入力及び設定することができるグラフィカルユーザインタフェースが組み込まれているものとする。また、監視制御用端末（ＯＰＳ）１の表示画面上で各ＡＴＭ装置の接続形態の履歴を読み出せるようにする。
【００３５】
図４の（ｂ）は、インチャネル通信用の制御電文のフォーマット例を示す。同図に示すフォーマットにおいて、“装置ＩＤ”は各ＡＴＭ装置へ設定する識別用符号（ユニークな値）を表し、“制御識別子”は制御種別（ポーリング、状態読み出し、警報通知など）を表し、“電文長”はフレームの長さを表し、“制御内容詳細”は制御内容毎の具体的な指示を表し、“応答”は制御指示に対する動作結果（ＯＫ／ＮＧ等）を表す。
【図面の簡単な説明】
【００３６】
【図１】本発明によって付与される装置ＩＤのフォーマットを示す図である。
【図２】本発明による装置ＩＤ自動割り付けシーケンスを示す図である。
【図３】本発明による装置ＩＤ設定履歴情報の記録の例を示す図である。
【図４】本発明を適用したネットワークシステムの実施例を示す図である。
【図５】複数のＡＴＭ装置を階層的に配置したネットワークシステムの構成例を示す図である。
【符号の説明】
【００３７】
１  監視制御用端末（ＯＰＳ）
１０  第１階層のＡＴＭ装置
２０，２１  第２階層のＡＴＭ装置
３０，３１  第３階層の各ＡＴＭ装置
【図１】
0004574516.tif 000002
【図２】
0004574516.tif 000003
【図３】
0004574516.tif 000004
【図４】
0004574516.tif 000005
【図５】
0004574516.tif 000006